(57)【要約】【課題】安全で安価な提供が可能で正確なスイングの練習ができるゴルフ用光スイング練習具を提供する。【解決手段】シャフト１０のグリップ１１内部に光源２０を収納する。シャフト１０の長手方向に沿って光源２０からの光を通す光導通孔１２を形成する。シャフト１０の内部に挿入した光径調整管１３にて光導通孔１２の照射範囲を調整する。該光径調整管１３の一端部から光を照射するように構成する。シャフト１０の先端周囲に、シャフト１０を保護する衝撃吸収体１４を設ける。シャフト１０の先端周囲に、シャフト１０の重量を変更する錘１５を設ける。【選択図】  図２
0003178345.tif 000002
【実用新案登録請求の範囲】
【請求項１】
シャフトの先端から光を照射してスイングの軌跡を確認するゴルフ用光スイング練習具において、シャフトのグリップ側の内部に光源を収納し、シャフトの長手方向に沿って光源からの光を通す光導通孔を形成し、該光導通孔の先端から光を照射するように構成したことを特長とするゴルフ用光スイング練習具。
【請求項２】
前記光導通孔は、前記シャフトの内部に挿入した光径調整管にて光の照射範囲が調整され、該光径調整管の一端部から光を照射するように構成した請求項１記載のゴルフ用光スイング練習具。
【請求項３】
前記シャフトの先端周囲に、シャフトを保護する衝撃吸収体又はシャフトの重量を変更する錘のいずれか、若しくはその両方を設けた請求項１又は２記載のゴルフ用光スイング練習具。
【請求項４】
前記シャフトは弾性のある材質で形成された請求項１乃至３いずれか記載のゴルフ用光スイング練習具。
【請求項５】
前記シャフトの内部に、前記光源から前記光導通孔の端部に至る光ファイバーを収納した請求項４記載のゴルフ用光スイング練習具。
【考案の詳細な説明】
【技術分野】
【０００１】
本考案は、正確なフォームでスイングしているか否かを確認することができるゴルフ用光スイング練習具に係り、特に、安全で、スイング理論に則った的確なボールヒットの練習が可能なゴルフ用光スイング練習具に関する。
【背景技術】
【０００２】
ゴルフのスイングは、アドレスから始まり、バックスイング、ダウンスイング、インパクト、フォロースルーに至る一連のスイング動作を正確に行う必要がある。そのため、プレイヤーにとって、このスイングの練習が最も重要な課題となっている。
【０００３】
従来、このスイングの練習のため、光の軌跡を利用して室内でも正確なフォームでスイングしているか否かを確認するゴルフ用光スイング練習具が種々提案されている。
【０００４】
一般にこの種の練習具は、特許文献１に記載のごとく、シャフトの先端にレーザー放出部を設けたものである。そして、このレーザー放出部から放出されたレーザー光線の軌跡がインパクトする際の正確な位置に当たるように練習するものである。
【０００５】
また、特許文献２に記載の練習具は、レーザー光線の照射状態を、スポットやライン状などに変更可能にしたものである。更に、特許文献３に記載の練習具は、発光部とスイッチ構造を一体化してシャフトからの脱落を防止する構成である。
【先行技術文献】
【特許文献】
【０００６】
【特許文献１】特開２０００-１９７７２１号公報
【特許文献２】実開平７-２２７７４号公報
【特許文献３】実開平５-１８１号公報
【考案の概要】
【考案が解決しようとする課題】
【０００７】
ところが従来の練習具は、いずれも光源をシャフトの先端に設けている。そのため、スイングの練習中にシャフトの先端が壁面等に触れると、光源が簡単に損傷してしまう虞があった。
【０００８】
また、練習に使用する光は、正確な軌道を描くためにレーザー光線のように直線的に照射できるものが好ましい。ところが、レーザー光線のように特殊な光を照射する装置を備えると練習具の価格が高くなる不都合がある。しかも、高価な照射装置を使用した場合でも、シャフトの先端に備えると、練習時において破損する可能性も高くなる。
【０００９】
そこで本考案は上述の不都合を解消すべく案出されたもので、たとえスイングの練習中にシャフトの先端が壁面等に触れても光源の損傷を防止することができ、しかも、ボールヒット時にゴルフヘッド軌跡の正確性とグリップの関係を密接にした正確なスイングの練習が可能になるゴルフ用光スイング練習具の提供を目的とする。
【課題を解決するための手段】
【００１０】
上述の目的を達成すべく本考案における第１の手段は、シャフト１０の先端から光を照射してスイングの軌跡を確認するゴルフ用光スイング練習具において、シャフト１０のグリップ１１側の内部に光源２０を収納し、シャフト１０の長手方向に沿って光源２０からの光を通す光導通孔１２を形成し、該光導通孔１２の先端から光を照射するように構成したことにある。
【００１１】
第２の手段において、前記光導通孔１２は、前記シャフト１０の内部に挿入した光径調整管１３にて光の照射範囲が調整され、該光径調整管１３の一端部から光を照射するように構成している。
【００１２】
第３の手段は、前記シャフト１０の先端周囲に、シャフト１０を保護する衝撃吸収体１４又はシャフト１０の重量を変更する錘１５のいずれか、若しくはその両方を設けたことにある。
【００１３】
第４の手段において、前記シャフト１０は弾性のある材質で形成されている。
【００１４】
第５の手段は、前記シャフト１０の内部に、前記光源２０から前記光導通孔１２の端部に至る光ファイバーを収納したものである。
【考案の効果】
【００１５】
本考案の請求項１によると、シャフト１０のグリップ１１側の内部に光源２０を収納し、シャフト１０の長手方向に沿って光源２０からの光を通す光導通孔１２を形成し、該光導通孔１２の先端から光を照射するように構成したことにより、スイングの練習中に、シャフト１０の先端が壁等にぶつかっても光源２０の損傷を防止することができる。したがって、衝撃によりガラス球が破損したり部品が飛散したりする虞が全くないので、極めて安全な使用が可能になるものである。
【００１６】
更に、光導通孔１２の先端から光を照射することで、図３に示すようなアドレス位置と、テークバックからボールヒットに至るスイングのヘッド軌跡とを一致させる練習ができるものである。
【００１７】
請求項２のごとく、光導通孔１２は、前記シャフト１０の内部に挿入した光径調整管１３にて形成され、該光径調整管１３の一端部から光を照射するように構成したことで、仮に懐中電灯Ｐの電球のような安価な光源でも、任意の径の光を光径調整管１３から照射することができる。
【００１８】
請求項３のごとく、シャフト１０の先端周囲に、シャフト１０を保護する衝撃吸収体１４を設けたことにより、スイングの練習中に、シャフト１０の先端が壁等にぶつかってもシャフト１０の変形を防止すると共に、壁等の破損も少なくすることができる。
【００１９】
また、シャフト１０の先端周囲に、シャフト１０の重量を変更する錘１５を装着したことで、使用者の性別や体重に応じた使用が可能になるものである。
【００２０】
請求項４のように、シャフト１０を弾性のある材質で形成することにより、スイング時に発生するシャフト１０のしなりを利用した練習が可能になるものである。すなわち、ダウンスイング時にシャフト１０がしなっていても、インパクトの瞬間は、シャフト１０が一直線状になっているのが好ましい。すなわち、グリップ１１内の光源２０から光導通孔１２の先端部が一直線になっている状態である。そのため、弾性のあるシャフト１０を使用すると、インパクト時にシャフト１０が一直線になっていなければボールに光線を照射できないので、より実践的なスイングを練習することができる。
【００２１】
請求項５のごとく、シャフト１０内の光源２０から光導通孔１２の端部に至る光ファイバーを収納することで、シャフト１０がしなっている状態でもダウンスイングやフォロースルーの光の軌跡を確認することができる。この結果、上級者に適したスイング練習が可能になるものである。
【図面の簡単な説明】
【００２２】
【図１】本考案の一実施例を示す斜視図である。
【図２】本考案の一実施例を示す縦断面図である。
【図３】本考案の使用状態を示す正面図である。
【考案を実施するための形態】
【００２３】
本考案によると、スイングの練習中にシャフトの先端が壁面等に触れても光源の損傷を防止することができ、しかも、懐中電灯の電球のような安価な光源でも、正確なスイングの練習が可能になるなどといった当初の目的を達成した。
【００２４】
以下、本考案の実施例を説明する。本考案は、シャフト１０の先端から光を照射してスイングの軌跡を確認するゴルフ用光スイング練習具である。本考案の基本構成は、シャフト１０と光源２０とで構成されている。
【００２５】
シャフト１０は、通常のゴルフクラブを構成するシャフト１０と同様の材質、形状、構造のシャフト１０をグリップ１１側で所定長さにカットして利用することができる。また、シャフト１０を弾性のある材質で形成すると、インパクト時にシャフト１０が一直線になっていなければボールに光線を照射できなくなる。この結果、実践的な練習が可能になる。
【００２６】
更に、弾性を有したシャフト１０の光源２０から光導通孔１２の端部に至る光ファイバーを光導通孔１２に配置することも可能である。この場合、シャフト１０がしなった状態でも光を照射できるので、特に、上級者の練習に好適なものになる。
【００２７】
一方、金属製やプラスチック製等のような弾性のないパイプ材をシャフト１０として利用することも可能である。この場合、常にシャフト１０は直線状態になっているので、比較的初心者に適した練習が可能になる。
【００２８】
光源２０は、シャフト１０のグリップ１１側の内部に収納されるもので、シャフト１０の先端部から光を照射する。そのため、シャフト１０の内部には、光源２０から光を通す光導通孔１２をシャフト１０の長手方向に沿って形成している。図示の光源２０として、ペンシル型の懐中電灯Ｐをシャフト１０のグリップ１１側内部に収納することで、光源２０が電球２２及び電池２３を含めて独立した状態になっている。このような光源２０によると、メンテナンスや光源２０の交換も容易に行えるものである。
【００２９】
また、本考案の光源２０は、照射レンズ２１や電球２２、電池２３、スイッチ２４等をシャフト１０内に個々に配設して光源２０を構成することも可能である。更に、従来のようなレーザー照射装置を光源２０としてもよい。
【００３０】
一方、光導通孔１２は、シャフト１０の内部に挿入した光径調整管１３にて光の照射範囲を調整している。この光径調整管１３の口径を調整することで、例えば高価なレーザー光線発射装置等を使用しなくても、光導通孔１２の先端から照射される光の照射範囲を調整することができる。
【００３１】
スイングの練習に適当な光の照射範囲は、ゴルフボールのサイズからゴルフクラブのヘッドのサイズに至る範囲が有効であるが、光導通孔１２から光をピンポイントで照射することも可能である。また、光源２０を、光径調整管１３の端部に当接させて収納すると、シャフト１０内に確実に固定することもできる。
【００３２】
図中符号１４は、シャフト１０を保護する衝撃吸収体１４である。この衝撃吸収体１４をシャフト１０の先端周囲に設けることで、シャフト１０の先端部を保護することができる。また、衝撃吸収体１４として生ゴム等、重い材質を選択すると、この衝撃吸収体１４を錘として利用することも可能である。
【００３３】
符号１５は、シャフト１０の重量を変更する錘１５である。この錘１５をシャフト１０の先端周囲に装着することで、シャフト１０の重量を調整し、使用者の性別、体重別等に適したスイングの練習ができるようになる。
【００３４】
尚、本考案のシャフト１０、光源２０、グリップ１１、光導通孔１２、光径調整管１３、衝撃吸収体１４、錘１５等の各種形状や寸法、材質等は、図示例や実施例に限られるものではなく、本考案の主旨を変更しない範囲での設計変更は任意に行えるものである。
【符号の説明】
【００３５】
Ｐ  懐中電灯
１０  シャフト
１１  グリップ
１２  光導通孔
１３  光径調整管
１４  衝撃吸収体
１５  錘
２０  光源
２１  照射レンズ
２２  電球
２３  電池
２４  スイッチ
【図１】
0003178345.tif 000003
【図２】
0003178345.tif 000004
【図３】
0003178345.tif 000005